(57)【要約】　　　（修正有）【課題】吊り下げ部材を使用して袋包装体を熱湯の入った鍋等の縁に引っかけて吊るして加熱することができ、温まった後に吊り下げ部材を掴んで袋包装体を簡単に取り出せる吊り下げ部材付き包装体を提供する。【解決手段】周縁の熱接着部１１に吊り下げ孔１２が形成された袋包装体１と、両端に鉤部が形成されるとともに一方の鉤部の近傍に掴み部が形成された吊り下げ部材２とからなる。【選択図】　　　　図１
2004083124.tif 000002
【特許請求の範囲】
【請求項１】
周縁の熱接着部に吊り下げ孔が形成された袋包装体と吊り下げ部材をセットにしたことを特徴とする吊り下げ部材付き包装体。
【請求項２】
前記袋包装体と前記吊り下げ部材が分離可能に接着されていることを特徴とする請求項１記載のセット包装体。
【請求項３】
前記袋包装体と前記吊り下げ部材が紙箱に収納されていることを特徴とする請求項１または２記載の吊り下げ部材付き包装体。
【請求項４】
前記吊り下げ部材が、連結部の両端に鉤部を備え且つ一方の鉤部の近傍に摘み部が形成されている構成からなることを特徴とする請求項１〜３のいずれかに記載の吊り下げ部材付き包装体。
【請求項５】
周縁に熱接着部が形成された袋包装体の前記熱接着部に、紐状体の先端に鉤部を備えた可撓性の吊り下げ部材を前記紐状体の端縁にて接着した構成からなることを特徴とする吊り下げ部材付き包装体。
【発明の詳細な説明】
【０００１】
【発明の属する技術分野】
本発明は、インスタントカレーを収納したレトルトパウチ等の袋包装体と吊り下げ部材をセットにしておき、鍋等により袋包装体を加熱する際に、袋包装体を吊り下げ部材にて吊り下げた状態で鍋等に入れて加熱することにより、熱湯や高温状態となっている鍋等により火傷をすることなく、温まった袋包装体を簡単に取り出すことのできる吊り下げ部材付き包装体に関する。
【０００２】
【従来の技術】
従来、インスタントカレー等のレトルト食品は、鍋等に加熱しようとするレトルトパウチを入れて、レトルトパウチが水没するまで水を入れて加熱・沸騰させて内容物を温め、温まった時点でレトルトパウチを箸等を使用して取り出し使用していたが、温まった時点でレトルトパウチを取り出すのが困難であり、レトルトパウチを取り出す際に、熱湯や高温状態となっている鍋等により火傷をするという問題があった。
【０００３】
上記のような欠点を改良する方法として、実開平５−１６６７４号公報に記載されているように、周縁の熱接着部に孔が形成された食品材料を収容した食品容器を、食品容器の孔に棒を通して棒を熱湯の入った鍋の縁に渡し、食品容器を吊り下げて加熱するか、ないしはフックを設けた逆Ｕ字状の掛具にて食品容器を棒に通して吊り下げて加熱する方法が知られているが、このような加熱の仕方では、食品容器を吊るすのに長い棒、掛具が必要である上に、食品容器の全体を熱湯に浸すことが困難であり、食品容器の全体を速やかに加熱しにくいという欠点がある。
【０００４】
【発明が解決しようとする課題】
本発明の目的は、吊り下げ部材を使用して袋包装体を熱湯の入った鍋等の縁に引っかけて吊るして加熱することができ、温まった後に吊り下げ部材を掴んで袋包装体を簡単に取り出せる吊り下げ部材付き包装体を提供することである。
【０００５】
【課題を解決するための手段】
周縁の熱接着部に吊り下げ孔が形成された袋包装体と両端に鉤部の付いた吊り下げ部材をセットにした構成の吊り下げ部材付き包装体とすることにより、袋包装体を鍋等を使用して加熱する際に、袋包装体の吊り下げ孔に吊り下げ部材の一方の鉤部を引っかけるとともに他方の鉤部を鍋等の縁に引っかけて加熱することにより、加熱が完了した後に吊り下げ部材により簡単に袋包装体を取り出すことができる。
【０００６】
上記の吊り下げ部材付き包装体において、吊り下げ部材を袋包装体に分離可能に接着しておくことにより、吊り下げ部材と袋包装体がばらばらになることがなく確実にセットにすることができる。
【０００７】
上記の吊り下げ部材付き包装体において、袋包装体と吊り下げ部材を紙箱に収納した構成とすることにより、輸送・保管中に袋包装体と吊り下げ部材が分離してしまうことがない。また、袋包装体と吊り下げ部材とを接着せずに別々に紙箱に収納することにより袋包装体と吊り下げ部材を分離可能に接着する工程を省くことができる。
【０００８】
上記の吊り下げ部材付き包装体において、吊り下げ部材が連結部の両端に鉤部を備え且つ一方の鉤部の近傍に摘み部が形成されている構成とすることにより、吊り下げ部材の摘み部が形成されて一方の鉤部を鍋等の縁に引っかけて加熱することにより、内容物が温まった後に、吊り下げ部材の摘み部を掴んで袋包装体を簡単に引き上げて取り出すことができる。
【０００９】
周縁に熱接着部が形成された袋包装体の前記熱接着部に、紐状体の先端に鉤部を備えた吊り下げ部材を紐状体の端縁にて接着した構成の吊り下げ部材付き包装体とすることにより、吊り下げ部材付き包装体を吊り下げて展示・販売することができるとともに、鉤部を鍋等の縁に引っかけることにより、袋包装体を取り出しやすい状態で熱湯で加熱して取り出すことができる。
【００１０】
【発明の実施の形態】
以下、図面を引用して本発明の実施の形態を説明する。
図１は本発明の第１実施形態を示す斜視図、図２は本発明の第２実施形態を示す斜視図、図３は本発明の第３実施形態を示す紙箱を一部切り欠いた斜視図、図４は第１〜第３実施形態にて使用する吊り下げ部材の構成を示す図、図５は本発明の第４実施形態を示す斜視図、図６は第１実施形態の袋包装体を鍋内に吊り下げて加熱する状態を示す斜視図であり、１，１’，１”は袋包装体、１１は熱接着部、１２は吊り下げ孔、２，２’は吊り下げ部材、２１，２２，２２’は鉤部、２３，２３’は連結部、２４，２４’は摘み部、３，３’は接着部、４は紙箱をそれぞれ表す。
【００１１】
本発明の第１実施形態は、図１に示すとおりであり、インスタントカレー等を包装した４辺に熱接着部１１が形成されて密封された袋包装体１の表裏いずれかの外面に、連結部の両端に鉤部を有し一方の鉤部の近傍に摘み部が形成された吊り下げ部材２がホットメルト等を使用して接着部３により袋包装体１から分離可能に接着され、上辺の熱接着部１１の中央部に吊り下げ部材２の鉤部を引っかけるための吊り下げ孔１２が形成されている構成である。
【００１２】
本発明の第２実施形態は、図２に示すとおりであり、インスタントカレー等を包装した４辺に熱接着部１１が形成されて密封された袋包装体１’の表裏いずれかの外面に、図２に示す吊り下げ部材２がホットメルト等を使用して接着部３により袋包装体１’から分離可能に接着され、上辺の角部の熱接着部１１を広幅に形成して角部に吊り下げ部材２の鉤部を引っかけるための吊り下げ孔１２が形成されている構成である。
【００１３】
本発明の第３実施形態は、図３に示すとおりであり、インスタントカレー等を包装した袋包装体１の表裏いずれかの外面に、図２に示す吊り下げ部材２がホットメルト等を使用して袋包装体１から分離可能に接着された第１実施形態の吊り下げ部材付き包装体を紙箱４に収納した構成である。第３実施形態では、第２実施形態の吊り下げ部材付き包装体を紙箱４に収納した構成としてもよい。また、第３実施形態において、吊り下げ部材２を袋包装体１に接着せずに別々に紙箱４に収納した構成としてもよい。
【００１４】
本発明の第１〜第３実施形態にて使用する吊り下げ部材２は、図４に示すとおりであり、直線状の連結部２３の両端に鉤部２１及び鉤部２２を備え、一方の鉤部２２の近傍に吊り下げ部材２を掴んで持ち上げるための摘み部２４が設けられた構成からなる。この構成の吊り下げ部材２はポリエチレン、ポリプロピレン等を使用してインジェクション成形により作製されたものが使用でき、剛性のある吊り下げ部材２とされているが、直線状の連結部２３を肉薄にして可撓性を持たせた構成としてもよい。
【００１５】
第１、第２実施形態では、吊り下げ部材２を袋包装体１の外面にホットメルト等の接着部３にて直接接着してセットにしているが、吊り下げ部材２を紙、プラスチックフィルム等からなる袋に包装した状態で袋包装体１，１’の外面に接着剤を使用して分離可能に接着してもよい。その場合は、吊り下げ部材２を袋包装体１，１’に接着するのが容易となる。
【００１６】
本発明の第４実施形態は、図５に示すとおりであり、インスタントカレー等を包装した４辺に形成された熱接着部１１により密封された袋包装体１”の熱接着部１１に、紐状の連結部２３’の一方の端縁に鉤部２２’を備えるとともに鉤部２２’の近傍に摘み部２４’が形成された吊り下げ部材２’が、紐状の連結部２３’の他方の端縁を接着部３’にて接着して取り付けられて、袋包装体１”と吊り下げ部材２’がセットにされた構成である。第４実施形態の場合は、袋包装体１”に取り付けられた吊り下げ部材２’を使用して吊り下げて展示・販売することができる。
【００１７】
第１実施形態の袋包装体１を加熱する場合は、図６に示すように、吊り下げ部材２の鉤部２１を袋包装体１の吊り下げ孔１２に引っかけるとともに、吊り下げ部材２の鉤部２２を鍋等の縁に引っかけて鍋内に吊るした状態で熱湯でボイルすることにより袋包装体１に包装されたインスカントカレー等を調理することができ、加熱完了した後には、吊り下げ部材２の摘み部２４を掴んで簡単に取り出すことができる。また、第４実施形態の袋包装体１”を鍋等にて加熱する際には、図示しないが、吊り下げ部材２’の鉤部２２’を鍋等の縁に引っかけて加熱できる。
【００１８】
袋包装体を構成する袋の積層構成としては、２軸延伸ポリエチレンテレフタレート（ＰＥＴ）／アルミニウム箔（ＡＬ）／未延伸ポリプロピレン（ＣＰＰ）、ＰＥＴ／ＡＬ／高密度ポリエチレン（ＨＤＰＥ）、ＰＥＴ／２軸延伸ナイロン（ＯＮ）／ＡＬ／ＣＰＰ、ＰＥＴ／ＯＮ／ＣＰＰ等である。フィルムの積層はウレタン系接着剤を使用したドライラミネーションにより積層される。
【００１９】
【発明の効果】
周縁の熱接着部に吊り下げ孔が形成された袋包装体と両端に鉤部の付いた吊り下げ部材を、吊り下げ部材を袋包装体に分離可能に接着するか、ないしは袋包装体と吊り下げ部材を紙箱に収納することにより、袋包装体と吊り下げ部材をセットにした構成とすることにより、袋包装体を鍋等を使用して加熱する際に、袋包装体の吊り下げ孔に吊り下げ部材の一方の鉤部を引っかけるとともに他方の鉤部を鍋等の縁に引っかけて加熱することにより、加熱した後に吊り下げ部材により簡単に袋包装体を取り出すことができる。
【００２０】
また、吊り下げ部材を、連結部の両端に鉤部を備え且つ一方の鉤部の近傍に摘み部が形成された構成とすることにより、他方の鉤部を袋包装体の吊り下げ孔に引っかけるとともに、吊り下げ部材の摘み部が形成されて一方の鉤部を鍋等の縁に引っかけて加熱することにより、内容物が温まった後に、吊り下げ部材の摘み部を掴んで袋包装体を簡単に引き上げて取り出すことができる。
【図面の簡単な説明】
【図１】本発明の第１実施形態を示す斜視図。
【図２】本発明の第２実施形態を示す斜視図。
【図３】本発明の第３実施形態を示す紙箱を一部切り欠いた斜視図。
【図４】第１〜第３実施形態にて使用する吊り下げ部材の構成を示す図、
【図５】本発明の第４実施形態を示す斜視図。
【図６】第１実施形態の袋包装体を鍋内に吊り下げて加熱する状態を示す斜視図。
【符号の説明】
１，１’，１”　袋包装体
１１　熱接着部
１２　吊り下げ孔
２，２’　吊り下げ部材
２１，２２，２２’　鉤部
２３，２３’　連結部
２４，２４’　摘み部
３，３’　接着部
４　紙箱
【図１】
2004083124.tif 000003
【図２】
2004083124.tif 000004
【図３】
2004083124.tif 000005
【図４】
2004083124.tif 000006
【図５】
2004083124.tif 000007
【図６】
2004083124.tif 000008